(57)【特許請求の範囲】
【請求項１】
ハカマ部材４と、このハカマ部材４に嵌合固定された上部にキャップ嵌合部５が形成されたキャップ嵌合部材６と、前記ハカマ部材４内に下端部が挿入され上端部が前記キャップ嵌合部材６よりも上方に突出する筒部材７と、この筒部材７内に上下移動可能にとりつけられた口紅等を支持する皿部材１４と、前記ハカマ部材４と筒部材７を回動させることにより前記皿部材１４を上下移動させることができる上下移動機構９と、前記筒部材７の上部を覆うキャップ３とから構成される口紅等の収納容器において、前記ハカマ部材４よりも上方に突出し前記キャップ３内面に密接する形状に形成された上部気密部１７と、前記ハカマ部材４とキャップ嵌合部材６の間に挿入固定されハカマ部材４とキャップ嵌合部材６の間を密閉する下部気密部１８から構成される軟質材で形成されたリング状のパッキン部材１６を備えたことを特微とする口紅等の収納容器。
【請求項２】
パッキン部材１６Ａの上部気密部１７Ａとキャップ嵌合部材６の間には空隙１９が形成されていることを特徴とする請求項１記載の口紅等の収納容器。
【請求項３】
パッキン部材１６の下部気密部１８と対応する部位のキャップ嵌合部材６Ａ外面には、パッキン部材１６の抜脱を防止する凸リブ２０が形成されていることを特徴とする請求項１記載の口紅等の収納容器。
【請求項４】
パッキン部材１６Ｂの下部気密部１８Ａには内方に突出する複数個の凸状部２１が形成され、さらにキャップ嵌合部材６Ｂの前記凸状部２１と対応する部位には係止穴２２が設けられていて、この係止穴２２に凸状部２１が挿入されていることを特徴とする請求項１記載の口紅等の収納容器。
【請求項５】
凸状部２１Ａは筒部材７まで達し、筒部材７を摺接することを特徴とする請求項４記載の口紅等の収納容器。
【発明の詳細な説明】
【０００１】
【産業上の利用分野】
本発明は口紅、リップクリーム、スティックアイシャドウ等の化粧品収納容器で、内容物が気密を必要とする収納容器に関するものである。
【０００２】
【従来の技術】
従来の口紅等の収納容器はハカマ部材と、このハカマ部材に嵌合固定された上部にキャップ嵌合部が形成されたキャップ嵌合部材と、前記ハカマ部材内に下端部が挿入され上端部が前記キャップ嵌合部材よりも上方に突出する筒部材と、この筒部材内に上下移動可能にとりつけられた口紅等を支持する皿部材と、前記ハカマ部材と筒部材を回動させることにより前記皿部材を上下移動させることができる上下移動機構と、前記筒部材の上部を覆うキャップとから構成されていた。
【０００３】
さらに上記のような口紅等の収納容器の気密状態を保つ手段としては、気密用パッキンとしてキャップ内面に軟質材で成形された部材を挿入したり、ゴムのＯリング等を随所に使用するという手段が用いられていた。
【０００４】
【本発明が解決しようとする課題】
解決しようとする課題は、以上のような手段においては十分な気密が保てなかったり、デザイン上見苦しいものとなったり、口紅繰り出しの調子を悪くしてしまうと言う点である。さらにこれらの課題を解決する為にいたずらに部品を追加して容器のコストを上昇させてしまったり、追加した部品が収納容器から脱落し易いという点である。
【０００５】
【課題を解決するための手段】
上記課題を解決するため、本発明はハカマ部材と、このハカマ部材に嵌合固定された上部にキャップ嵌合部が形成されたキャップ嵌合部材と、前記ハカマ部材内に下端部が挿入され上端部が前記キャップ嵌合部材よりも上方に突出する筒部材と、この筒部材内に上下移動可能にとりつけられた口紅等を支持する皿部材と、前記ハカマ部材と筒部材を回動させることにより前記皿部材を上下移動させることができる上下移動機構と、前記筒部材の上部を覆うキャップとから構成される口紅等の収納容器において、前記ハカマ部材よりも上方に突出し前記キャップ内面に密接する形状に形成された上部気密部と、前記ハカマ部材とキャップ嵌合部材の間に挿入固定されハカマ部材とキャップ嵌合部材の間を密閉する下部気密部から構成される軟質材で形成されたリング状のパッキン部材を備えたという手段を用いている。
【０００６】
【作用】
上記のように構成された口紅等の収納容器は、キャップを閉めた際にはパッキン部材の上部気密部がキャップ内面に密接することにより容器上部の気密状態を保つことができる。さらにパッキン部材の下部気密部がパッキン部材が収納容器から脱落するのを防止するとともにキャップ嵌合部材とハカマ部材の間を密閉する事により容器下部の気密状態を保つことができる。
【０００７】
【発明の実施例】
以下、図面に示す実施例により発明を詳細に説明する。たたし、図面は解説の為のものであって、発明の範囲を限定するものではない。
【０００８】
図１ないし図４に示す発明の第１の実施例において、１は口紅等の収納容器で、この口紅等の収納容器１は口紅収納容器本体２と、この口紅収納容器本体２と着脱自在に嵌合するキャップ３とから構成されている。
【０００９】
この口紅収納容器本体２は、ハカマ部材４と、このハカマ部材４の上部に嵌合固定された、上部にキャップ嵌合部５が形成されたキャップ嵌合部材６と、前記ハカマ部材４内に下端部が挿入されキャップ嵌合部材６よりも上部まで達する筒部材７と、この筒部材７とハカマ部材４とを回動させる事によって内蔵された口紅等の棒状化粧品８を筒部材７の上端部より出没可能とする上下移動機構９とから構成されている。
【００１０】
この上下移動機構９は、筒部材７とこの筒部材７の内部に形成された螺旋溝１０と、前記筒部材７を回動可能ではあるが抜けだし不能に係止し、底部がハカマ部材４内に立設固定された内筒部材１２と、この内筒部材１２の前記螺旋溝１０と対応する位置に形成された軸心方向の切り割り溝１３と、内筒部材１２内に形成された口紅等の棒状化粧品８を支持する皿部材１４と、この皿部材１４に形成された前記内筒部材１２の切り割り溝１３および筒部材７の螺旋溝１０と係合する係合ピン１５とから構成されている。
【００１１】
１６は前記ハカマ部材４とキャップ嵌合部材６の間に抜け出し不能に係止されたパッキン部材で、このパッキン部材１６はゴム、軟質プラスチック等の軟質材で形成されたもので、上部気密部１７と下部気密部１８より構成されたリング状をしている。
【００１２】
前記パッキン部材１６の上部気密部１７はハカマ部材４より上方に突出するように位置し、キャップ３を閉めた際にはキャップ３の内面に密接する形状に形成され、キャップ３とキャップ嵌合部材６の間を気密状態に保つことができるように作用している。
【００１３】
前記パッキン部材１６の下部気密部１８はハカマ部材４とキャップ嵌合部材６の間に挿入固定され、ハカマ部材４とキャップ嵌合部材６の間の気密状態に保つことができるように作用している。さらにハカマ部材４とキャップ嵌合部材６の間に挿入固定される事によって口紅収納容器本体２より脱落することを効率よく防止している。
【００１４】
このように構成された口紅等の収納容器１はパッキン部材１６の上部気密部１７の作用によって口紅等の収納容器本体２とキャップ３との間を効率よく気密状態とし、またハカマ部材４とキャップ嵌合部材６との間も下部気密部１８の作用によって気密状態とする事ができる。
【００１５】
【発明の異なる実施例】
次に発明の異なる実施例につき説明する。なお、これらの説明にあたって前記発明の第１の実施例と同一構成部分には同一符号を付して重複する説明を省略する。
【００１６】
図５および図６に示す発明の第２の実施例において、前記発明の第１の実施例と主に異なる点は、パッキン部材１６Ａの上部気密部１７Ａとキャップ嵌合部材６の間に空隙１９を形成した点である。
【００１７】
この空隙１９はパッキン部材１６Ａの上部気密部１７Ａにより柔軟性を持たせるように作用し、キャップ３を閉めた際に気密と共にキャップ３の嵌合値を安定させるように作用させることができる。このような構造とした口紅等の収納容器１Ａとしても良い。
【００１８】
図７および図８に示す発明の第３の実施例において、前記発明の第１の実施例と主に異なる点は、パッキン部材１６の下部気密部１８と対応する部位のキャップ嵌合部材６Ａ外面に、パッキン部材１６の抜脱を防止する凸リブ２０が形成されている点で、このような構造とすることによってパッキン部材１６が口紅収納容器本体２より脱落することをより効果的に防止することができる。このような構造とした口紅等の収納容器１Ｂとしても良い。
【００１９】
図９ないし図１１に示す発明の第４の実施例において、前記発明の第１の実施例と主に異なる点は、パッキン部材１６Ｂの下部気密部１８Ａに内方に突出する複数個の凸状部２１が形成され、さらにキャップ嵌合部材６Ｂの前記凸状部２１と対応する部位には係止穴２２が設けられていて、この係止穴２２に凸状部２１が挿入されるようにした点で、このようにパッキン部材１６Ｂを係止する構造とする事によってパッキン部材１６Ｂが口紅収納容器本体２より脱落することをより効果的に防止することができる。このような構造とした口紅等の収納容器１Ｃとしても良い。
【００２０】
図１２ないし図１４に示す発明の第５の実施例において、前記発明の第４の実施例と主に異なる点は、パッキン部材１６Ｃの下部気密部１８Ａの凸状部２１Ａで、この凸状部２１Ａは前記筒部材７まで達し、筒部材７を緩やかに摺接するようにした点で、このように凸状部２１Ａが筒部材７を摺接する事によって繰り出しの回転トルクを均一なものとするように作用させることができる。このような構造とした口紅等の収納容器１Ｄとしても良い。
【００２１】
以上の説明では上下移動機構９は、内筒部材１２、切り割り溝１３、螺旋溝１０、係合ピン１５を使用する構造について行ったが、本発明はこれに限らず、従来から使用されている口紅等の収納容器のハカマ部材４と筒部材７を回動させる事によって口紅等の棒状化粧品８の繰り出しを行う上下移動機構であれば何でも良い。
【００２２】
【発明の効果】
本発明は、以上説明したように構成されているので、以下に記載するような効果を秦する。
【００２３】
（１）口紅等の棒状化粧品の繰り出しを行う上下移動機構をもった口紅等の収納容器において、前記ハカマ部材よりも上方に突出する前記キャップ内面に密接する形状に形成された上部気密部と、前記ハカマ部材とキャップ嵌合部材の間に挿入固定されハカマ部材とキャップ嵌合部材の間を密閉する下部気密部から構成される軟質材で形成されたリング状のパッキン部材を備えたので、デザイン上見苦しいものとは成らず、さらに口紅繰り出しの調子を悪くするということを効率よく防止することができる。
【００２４】
（２）構造が簡単であり、従来の容器でもパッキン部材の一部品を追加するだけで実施することができるので、容器がコスト高になるということが無い。
【００２５】
（３）パッキン部材を確実に係止しているので、部品が脱落するという事故を確実に防止することができる。
【図面の簡単な説明】
【図１】第１の実施例のキャップを閉めた状態の断面図である。
【図２】第１の実施例のキャップを外した状態の断面図である。
【図３】第１の実施例のキャップ嵌合部材の斜視図である。
【図４】第１の実施例のパッキン部材の斜視図である。
【図５】第２の実施例のキャップを外した状態の断面図である。
【図６】第２の実施例のパッキン部材の一部破断斜視図である。
【図７】第３の実施例のキャップを外した状態の断面図である。
【図８】第３の実施例のキャップ嵌合部材の斜視図である。
【図９】第４の実施例のキャップを外した状態の断面図である。
【図１０】第４の実施例のキャップ嵌合部材の斜視図である。
【図１１】第４の実施例のパッキン部材の一部破断斜視図である。
【図１２】第５の実施例のキャップを外した状態の断面図である。
【図１３】第５の実施例のパッキン部材の一部破断斜視図である。
【図１４】第５の実施例の図１２のＡ部拡大図である。
【符号の説明】
１、１Ａ、１Ｂ、１Ｃ、１Ｄ  口紅等の収納容器
２  口紅収納容器本体
３  キャップ
４  ハカマ部材
５  キャップ嵌合部
６、６Ａ、６Ｂ  キャップ嵌合部材
７  筒部材
８  棒状化粧品
９  上下移動機構
１０  螺旋溝
１２  内筒部材
１３  切り割り溝
１４  皿部材
１５  係合ピン
１６、１６Ａ、１６Ｂ、１６Ｃ  パッキン部材
１７、１７Ａ  上部気密部
１８、１８Ａ  下部気密部
１９  空隙
２０  凸リブ
２１、２１Ａ  凸状部
２２  係止穴
【図１】
0003703035.tif 000002
【図２】
0003703035.tif 000003
【図３】
0003703035.tif 000004
【図４】
0003703035.tif 000005
【図５】
0003703035.tif 000006
【図６】
0003703035.tif 000007
【図７】
0003703035.tif 000008
【図８】
0003703035.tif 000009
【図９】
0003703035.tif 000010
【図１０】
0003703035.tif 000011
【図１１】
0003703035.tif 000012
【図１２】
0003703035.tif 000013
【図１３】
0003703035.tif 000014
【図１４】
0003703035.tif 000015